(57)【要約】      （修正有）【課題】ダボがダボ孔から抜け出るのを防止するための構造が極めて簡単であり、また、手で簡単に操作できるのみならず、手軽に締め直して容易に調整できるようにした棚板支持構造を提供する。【解決手段】棚板１の左右両端面から突出させたダボ３，３を棚類Ａの両側板２，２の内面にそれぞれ形成したダボ孔２ａ，２ａに挿入して支持するものにおいて、棚板１の左右方向に形成したダボ嵌挿溝１ａ内のダボ３の移動を規制し得る固定ネジ４を備えている。【選択図】図４
0003181832.tif 000002
【実用新案登録請求の範囲】
【請求項１】
戸棚、陳列棚、食器棚その他各種の棚類の両側板間に掛け渡す棚板であって、この棚板の左右両端面から突出させたダボを前記両側板の内面にそれぞれ形成されているダボ孔に挿入して支持するようにしたものにおいて、棚板の左右方向に形成したダボ嵌挿溝内のダボの移動を規制し得る固定ネジを備えていることを特徴とする棚板支持構造。
【請求項２】
ダボにネジ穴を形成し、このネジ穴に固定ネジを螺合せしめることを特徴とする請求項１記載の棚板支持構造。
【考案の詳細な説明】
【技術分野】
【０００１】
本考案は、棚板に備えられているダボを棚板の端部から突出させ、側板の内面に形成されているダボ孔に挿入する形式の棚板支持構造の改良に関するものである。
に関するものである。
【背景技術】
【０００２】
棚板に備えられているダボを棚板の端部から突出させ、側板の内面に形成されているダボ孔に挿入することにより、棚板を支持する形式の棚板支持構造は、多数提案されている（例えば、特許文献１〜４参照）。
【先行技術文献】
【特許文献】
【０００３】
【特許文献１】特開２００１−８７０５０号公報（図４、図５、図９、図１０等参照）
【０００４】
【特許文献２】特許第４０９４７４９号公報（図６参照）
【０００５】
【特許文献３】実開昭５７−１３６２４４号公報（図５参照）
【０００６】
【特許文献４】実開昭５５−１１１４５７号公報（図４参照）
【考案の概要】
【考案が解決しようとする課題】
【０００７】
これらの場合にあっては、ダボがダボ孔から抜け出る危険があるものや、その危険はないけれどもそれを防止するための機構が複雑であるものが多い。
【０００８】
本考案は、このような欠点を解消することを目的とするものであって、ダボがダボ孔から抜け出るのを防止するための構造が極めて簡単であり、また、手で簡単に操作できるのみならず、手軽に締め直して容易に調整できるようにしたものである。
【課題を解決するための手段】
【０００９】
本考案による棚板支持構造は、戸棚、陳列棚、食器棚その他各種の棚類の両側板間に掛け渡す棚板であって、この棚板の左右両端面から突出させたダボを前記両側板の内面にそれぞれ形成されているダボ孔に挿入して支持するようにしたものにおいて、棚板の左右方向に形成したダボ嵌挿溝内のダボの移動を規制し得る固定ネジを備えていることを特徴とするものである。
この棚板支持構造によれば、ダボがダボ孔から抜け出るのを防止するための構造が極めて簡単である。また、固定ネジを手で緩め、あるいは締め付けるだけで簡単に操作できるのみならず、固定ネジが緩んできたとき、手軽に締め直して容易に調整できる。
【００１０】
ダボにネジ穴を形成し、このネジ穴に固定ネジを螺合せしめるようにすると良い。このようにした場合には、固定ネジを締め付けるだけでダボに直接作用するので、ダボ嵌挿溝内のダボをより強固に固定することができる。
【考案の効果】
【００１１】
請求項１記載の考案によれば、ダボがダボ孔から抜け出るのを防止するための構造が極めて簡単である。また、固定ネジを手で緩め、あるいは締め付けるだけで簡単に操作できるのみならず、固定ネジが緩んできたとき、手軽に締め直して容易に調整できる。
【００１２】
請求項２記載の考案によれば、固定ネジを締め付けるだけでダボに直接作用するので、ダボ嵌挿溝内のダボをより強固に固定することができる。
【図面の簡単な説明】
【００１３】
【図１】本考案による棚板支持構造において用いられる棚板の一例を示す斜視図で、ダボ嵌挿溝内にダボを嵌挿し、このダボを棚板の端面から突出させた場合を示す。
【図２】棚板の前後方向における断面図である。
【図３】この棚板に取り付けられるダボの一例を示す斜視図である。
【図４】この棚板を棚類の両側板間に掛け渡した状態を示す断面図で、棚板の左右方向の中間部分を省略して示す。
【考案を実施するための形態】
【００１４】
本考案を実施するための形態について、図面を参照しながら詳細に説明する。
図１に、本考案による棚板支持構造において用いられる棚板の一例を、ダボを備えた状態で示す。ここに示す棚板１は、戸棚、陳列棚、食器棚その他各種の棚類Ａに用いることができ、当該棚類Ａの両側板２，２間に掛け渡すことができるものである。
【００１５】
この棚板１には、その左右方向に幅全体にわたってダボ嵌挿溝１ａ，１ａが前後に２条形成されており、各ダボ嵌挿溝１ａ，１ａに嵌挿した各ダボ３，３の外端部分を、図１に示すように、棚板１の左右両端面からそれぞれ突出させることができる。そして、棚板１の左右両端面からそれぞれ突出させた各ダボ３，３の外端部分を、図４に示すように、前記両側板２，２の内面にそれぞれ形成したダボ孔２ａ，２ａに挿入すると、左右両側板２，２間に棚板１を支持することができる。なお、ダボ嵌挿溝１ａに嵌挿したダボ３は、図１の矢印で示す方向に摺動可能である。
【００１６】
ダボ３は、図３に示すように、横円柱形の大径部３ａと小径部３ｂとからなっており、その大径部３ａが棚板１のダボ嵌挿溝１ａの内面に摺接し、それより細い小径部３ｂを図１、図４に示すように棚板１の左右両端面からそれぞれ突出させ、前記側板２の内面に形成した前記ダボ孔２ａに挿入することができるようになっている。
そして、ダボ嵌挿溝１ａの内面に摺接している大径部３ａに固定ネジ４を作用させ得るようにしておけば、ダボ嵌挿溝１ａ内のダボ３の移動を規制することができる。図示はしないが、例えば、棚板１の下面であって前記ダボ嵌挿溝１ａに対応させて固定ネジ４螺合用のネジ穴を形成しておき、このネジ穴に固定ネジ４を螺合すれば、ダボ３の大径部３ａに固定ネジ４を作用させることができ、ダボ嵌挿溝１ａ内のダボ３の移動を規制することができる。
【００１７】
ここでは、ダボ３の大径部３ａにネジ穴３ｃを上下に貫通させて形成してあり、ダボ嵌挿溝１ａの下側の切除部１ａ’を経て前記ネジ穴３ｃに固定ネジ４を螺合すれば、ダボ３の大径部３ａに固定ネジ４を直接作用させることができ、固定ネジを締め付けるだけでダボ嵌挿溝１ａ内のダボ３をより強固に固定することができる。この場合において、固定ネジ４の先端は上下に貫通しているネジ穴３ｃを経てダボ嵌挿溝１ａの上奥を強く押え付けることができるので、ダボ嵌挿溝１ａ内のダボ３の移動を規制するとともに、ダボ嵌挿溝１ａ内のダボ３をより強固に固定することができる。
【００１８】
したがって、棚板１の左右両端面からそれぞれ突出させてあるダボ３の小径部３ｂ，３ｂが前記両側板２，２の内面にそれぞれ形成したダボ孔２ａ，２ａから抜け出るのを防止することができる。このように、ダボ３（その小径部３ｂ）がダボ孔２ａから抜け出るのを防止するための構造が、極めて簡単である。
【００１９】
また、固定ネジ４を手で緩め、あるいは締め付けるだけで簡単に操作できる。例えば、固定ネジ４を手で緩め、固定ネジ４を摘んでダボ３を移動させることができる。この場合の固定ネジ４は、ダボ嵌挿溝１ａ内のダボ３を移動させるための摘みの役割を果たす。さらに、固定ネジ４が緩んできたとき、手軽に締め直して容易に調整できる。
【００２０】
棚板１は、プラスチックス製あるいはアルミニウム製で押し出し成型により製造することができるようにすれば、コスト面でも製造工程の面からも有利である。そして、長尺状に成型しておいて、図１、図４の左右方向である幅を所定の寸法に切断して用いることができる。一方、ダボ３は強度等を考慮して鉄製とすることができ、また、固定ネジ４については、ネジ部分のみ鉄製で、摘み部分はプラスチックス製とすることができる。
【００２１】
なお、棚板１を含めダボ３や固定ネジ４の各部品については、使って行って古くなると新しいものに変えれば、メンテナンスを楽に行うことができる。
【符号の説明】
【００２２】
１…棚板、１ａ…ダボ嵌挿溝、２…側板、２ａ…ダボ孔、３…ダボ、３ｃ…ネジ穴、４…固定ネジ、Ａ…棚類。
【図１】
0003181832.tif 000003
【図２】
0003181832.tif 000004
【図３】
0003181832.tif 000005
【図４】
0003181832.tif 000006